(57)【要約】【課題】精査処理に要する時間を短縮する。【解決手段】それぞれ固有の識別情報を有する複数の紙葉類を扱う紙葉類処理装置は、紙葉類を収納順序と逆の順序で繰り出す紙葉類収納部と、紙葉類収納部へ収納される紙葉類と紙葉類収納部から繰り出された紙葉類とから識別情報を取得する識別部を備える。また、紙葉類処理装置は、稼働開始前に収納され、かつ、稼働開始後にまだ繰り出されていない紙葉類の集合である特定紙葉類群を構成する紙葉類の枚数を示す特定枚数情報と、特定紙葉類群とその他の紙葉類との境界を特定可能な基準紙葉類の識別情報と、を管理する情報管理部と、紙葉類収納部から紙葉類を繰り出しつつ計数すると共に識別情報に基づき基準紙葉類の検出を行い、基準紙葉類が検出されたときの紙葉類の計数値と特定枚数情報とに基づき紙葉類収納部内の紙葉類の枚数を特定する精査処理を行う精査処理部と、を備える。【選択図】図８
2010282535.tif 000002
【特許請求の範囲】
【請求項１】
それぞれ固有の識別情報を有する複数の紙葉類を扱う紙葉類処理装置であって、
紙葉類の収納および繰り出しを行う紙葉類収納部であって、紙葉類を収納順序と逆の順序で繰り出す紙葉類収納部と、
前記紙葉類収納部へ収納される紙葉類と前記紙葉類収納部から繰り出された紙葉類とから前記識別情報を取得する識別部と、
前記紙葉類処理装置の稼働開始前に前記紙葉類収納部に収納され、かつ、稼働開始後にまだ繰り出されていない紙葉類の集合である特定紙葉類群を構成する紙葉類の枚数を示す特定枚数情報と、前記紙葉類収納部における前記特定紙葉類群とその他の紙葉類との境界を特定可能な紙葉類である基準紙葉類の前記識別情報と、を管理する情報管理部と、
所定のタイミングで、前記紙葉類収納部から紙葉類を繰り出しつつ計数すると共に、繰り出された紙葉類から取得される前記識別情報に基づき前記基準紙葉類の検出を行い、前記基準紙葉類が検出されたときの紙葉類の計数値と前記特定枚数情報とに基づき、前記紙葉類収納部内の紙葉類の枚数を特定する精査処理を行う精査処理部と、を備える、紙葉類処理装置。
【請求項２】
請求項１に記載の紙葉類処理装置であって、
前記情報管理部は、複数の前記基準紙葉類についての前記識別情報を管理し、
前記精査処理部は、複数の前記基準紙葉類のいずれかを検出する、紙葉類処理装置。
【請求項３】
請求項１または請求項２に記載の紙葉類処理装置であって、
前記基準紙葉類は、前記紙葉類収納部に収納された紙葉類の内、前記紙葉類収納部への収納順が、前記特定紙葉類群を構成する紙葉類の内の収納順が最後の紙葉類より１つ後からＮ（Ｎは１以上の整数）個後までの紙葉類である、紙葉類処理装置。
【請求項４】
請求項３に記載の紙葉類処理装置であって、
前記識別部は、稼働開始前における前記紙葉類収納部への紙葉類の収納の際には前記識別情報の取得を行わず、稼働開始後の前記紙葉類収納部における紙葉類の収納および繰り出しの際に前記識別情報の取得を行い、
前記情報管理部は、稼働開始後に取得された前記識別情報に基づき前記基準紙葉類の前記識別情報を管理する、紙葉類処理装置。
【請求項５】
請求項１または請求項２に記載の紙葉類処理装置であって、
前記情報管理部は、前記特定紙葉類群を構成する各紙葉類についての前記識別情報と前記紙葉類収納部への収納順を示す収納順情報とを管理することにより、前記特定枚数情報と前記基準紙葉類の前記識別情報とを管理し、
前記基準紙葉類は、前記特定紙葉類群を構成する紙葉類のいずれかである、紙葉類処理装置。
【請求項６】
請求項５に記載の紙葉類処理装置であって、
前記情報管理部は、さらに、前記その他の紙葉類についての前記識別情報と前記収納順情報とを管理する、紙葉類処理装置。
【請求項７】
請求項１または請求項２に記載の紙葉類処理装置であって、
前記情報管理部は、前記特定紙葉類群を構成する紙葉類の一部についての前記識別情報と前記紙葉類収納部への収納順を示す収納順情報とを管理することにより、前記特定枚数情報と前記基準紙葉類の前記識別情報とを管理し、
前記基準紙葉類は、前記特定紙葉類群を構成する紙葉類の内の前記識別情報および前記収納順情報が管理された紙葉類のいずれかである、紙葉類処理装置。
【請求項８】
請求項１ないし請求項７のいずれかに記載の紙葉類処理装置であって、
前記精査処理部は、前記基準紙葉類が検出されたときの紙葉類の計数値と前記特定枚数情報とに基づき前記紙葉類収納部内の紙葉類の枚数を特定する第１のモードによる精査処理と、前記紙葉類収納部からすべての紙葉類を繰り出しつつ計数することにより前記紙葉類収納部内の紙葉類の枚数を特定する第２のモードによる精査処理と、を実行可能であり、
前記紙葉類処理装置は、さらに、
前記第１のモードと前記第２のモードとのいずれにより精査処理を実行するかを選択する精査方法選択部を備える、紙葉類処理装置。
【請求項９】
請求項８に記載の紙葉類処理装置であって、
前記精査方法選択部は、前記紙葉類処理装置の稼働中の障害の有無と、稼働中に発生した障害の内容と、稼働中に前記紙葉類収納部から繰り出された紙葉類で枚数が不明な紙葉類があったか否かの結果と、前記紙葉類処理装置の操作履歴と、日時を表す日時情報と、の少なくとも１つに基づいて、前記選択を行う、紙葉類処理装置。
【請求項１０】
請求項１ないし請求項９のいずれかに記載の紙葉類処理装置であって、
前記紙葉類は、紙幣と商品券と小切手と旅行小切手とのいずれか１つであり、
前記識別情報は、記番号とＩＤ番号とのいずれか１つである、紙葉類処理装置。
【発明の詳細な説明】
【技術分野】
【０００１】
本発明は、紙葉類を取り扱う紙葉類処理装置に関する。
【背景技術】
【０００２】
例えば自動取引装置（Ａｕｔｏｍａｔｅｄ  Ｔｅｌｌｅｒ  Ｍａｃｈｉｎｅ、ＡＴＭ）や両替機、銀行員などの使用する紙幣入出金機、自動券売機といった取引処理装置は、紙幣を金種別に収納する金種別カセットを有し紙幣の入出金処理を行う紙幣処理装置を備えている。一般に、取引処理装置の運用においては、稼働開始前に、金種別カセットへの紙幣の装填が行われ、随時または定期的に、装置内の紙幣を計数して紙幣の残高を特定する精査処理が行われる。従来の精査処理は、各金種別カセット内に収納された紙幣をすべて繰り出して計数することにより実行される。
【０００３】
他方、取引処理装置において、金種別カセットに収納されている紙幣を循環搬送させつつ計数すると共に搬送される紙幣の記番号を読み取り、既に読み取った記番号の再度の読み取りを検出することによって金種別カセット内のすべての紙幣の計数を実現する技術が知られている（例えば特許文献１参照）。
【先行技術文献】
【特許文献】
【０００４】
【特許文献１】特許第３６５７４７０号公報
【発明の概要】
【発明が解決しようとする課題】
【０００５】
上記従来の精査処理では、各金種別カセット内のすべての紙幣が繰り出されて計数されるため、処理に時間がかかるという課題があった。
【０００６】
なお、この課題は、紙幣の入出金処理を行う紙幣処理装置に限らず、紙葉類の処理を行う紙葉類処理装置において共通の課題であった。
【０００７】
本発明は、上記の課題を解決するためになされたものであり、紙葉類処理装置において、精査処理に要する時間を短縮することを目的とする。
【課題を解決するための手段】
【０００８】
上記課題の少なくとも一部を解決するために、本発明は、以下の形態または適用例として実現することが可能である。
【０００９】
［適用例１］それぞれ固有の識別情報を有する複数の紙葉類を扱う紙葉類処理装置であって、
紙葉類の収納および繰り出しを行う紙葉類収納部であって、紙葉類を収納順序と逆の順序で繰り出す紙葉類収納部と、
前記紙葉類収納部へ収納される紙葉類と前記紙葉類収納部から繰り出された紙葉類とから前記識別情報を取得する識別部と、
前記紙葉類処理装置の稼働開始前に前記紙葉類収納部に収納され、かつ、稼働開始後にまだ繰り出されていない紙葉類の集合である特定紙葉類群を構成する紙葉類の枚数を示す特定枚数情報と、前記紙葉類収納部における前記特定紙葉類群とその他の紙葉類との境界を特定可能な紙葉類である基準紙葉類の前記識別情報と、を管理する情報管理部と、
所定のタイミングで、前記紙葉類収納部から紙葉類を繰り出しつつ計数すると共に、繰り出された紙葉類から取得される前記識別情報に基づき前記基準紙葉類の検出を行い、前記基準紙葉類が検出されたときの紙葉類の計数値と前記特定枚数情報とに基づき、前記紙葉類収納部内の紙葉類の枚数を特定する精査処理を行う精査処理部と、を備える、紙葉類処理装置。
【００１０】
この紙葉類処理装置では、特定紙葉類群を構成する紙葉類の枚数を示す特定枚数情報と、紙葉類収納部における特定紙葉類群とその他の紙葉類との境界を特定可能な基準紙葉類の識別情報と、が管理され、繰り出された紙葉類から取得される識別情報に基づき基準紙葉類の検出が行われ、基準紙葉類が検出されたときの紙葉類の計数値と特定枚数情報とに基づき紙葉類収納部内の紙葉類の枚数を特定する精査処理が行われる。そのため、この紙葉類処理装置では、精査処理において実際に繰り出し・計数を行う紙葉類の数を低減することが可能であり、精査処理に要する時間を短縮することができる。また、この紙葉類処理装置では、実際に繰り出し・計数を行う紙葉類の数を低減することが可能であるため、紙葉類処理装置における障害の発生率を低減することができると共に、紙葉類の損傷や汚れを抑制することができる。
【００１１】
［適用例２］適用例１に記載の紙葉類処理装置であって、
前記情報管理部は、複数の前記基準紙葉類についての前記識別情報を管理し、
前記精査処理部は、複数の前記基準紙葉類のいずれかを検出する、紙葉類処理装置。
【００１２】
この紙葉類処理装置では、精査処理において、１つの基準紙葉類の検出に失敗した場合にも、他の基準紙葉類を検出することにより、基準紙葉類が検出されたときの紙葉類の計数値と特定枚数情報とに基づく紙葉類収納部内の紙葉類の枚数の特定を実現することができ、精査処理に要する時間の短縮をより確実に実現することができる。
【００１３】
［適用例３］適用例１または適用例２に記載の紙葉類処理装置であって、
前記基準紙葉類は、前記紙葉類収納部に収納された紙葉類の内、前記紙葉類収納部への収納順が、前記特定紙葉類群を構成する紙葉類の内の収納順が最後の紙葉類より１つ後からＮ（Ｎは１以上の整数）個後までの紙葉類である、紙葉類処理装置。
【００１４】
この紙葉類処理装置では、いずれの基準紙葉類も、紙葉類収納部における特定紙葉類群とその他の紙葉類との境界を特定可能であり、いずれか１つの基準紙葉類を検出することにより、基準紙葉類が検出されたときの紙葉類の計数値と特定枚数情報とに基づく紙葉類収納部内の紙葉類の枚数の特定を実現することができ、精査処理に要する時間の短縮をより確実に実現することができる。
【００１５】
［適用例４］適用例３に記載の紙葉類処理装置であって、
前記識別部は、稼働開始前における前記紙葉類収納部への紙葉類の収納の際には前記識別情報の取得を行わず、稼働開始後の前記紙葉類収納部における紙葉類の収納および繰り出しの際に前記識別情報の取得を行い、
前記情報管理部は、稼働開始後に取得された前記識別情報に基づき前記基準紙葉類の前記識別情報を管理する、紙葉類処理装置。
【００１６】
この紙葉類処理装置では、稼働開始前における紙葉類収納部への紙葉類の収納の際に識別情報の取得を行わずとも、紙葉類収納部における特定紙葉類群とその他の紙葉類との境界を特定可能な基準紙葉類の識別情報を管理することができ、稼働開始前や稼働中の識別情報の管理を簡潔化することができる。
【００１７】
［適用例５］適用例１または適用例２に記載の紙葉類処理装置であって、
前記情報管理部は、前記特定紙葉類群を構成する各紙葉類についての前記識別情報と前記紙葉類収納部への収納順を示す収納順情報とを管理することにより、前記特定枚数情報と前記基準紙葉類の前記識別情報とを管理し、
前記基準紙葉類は、前記特定紙葉類群を構成する紙葉類のいずれかである、紙葉類処理装置。
【００１８】
この紙葉類処理装置では、基準紙葉類は紙葉類収納部における特定紙葉類群とその他の紙葉類との境界を特定可能であり、特定紙葉類群を構成する紙葉類のいずれかを基準紙葉類として検出することにより、基準紙葉類が検出されたときの紙葉類の計数値と特定枚数情報とに基づく紙葉類収納部内の紙葉類の枚数の特定を実現することができ、精査処理に要する時間の短縮をより確実に実現することができる。
【００１９】
［適用例６］適用例５に記載の紙葉類処理装置であって、
前記情報管理部は、さらに、前記その他の紙葉類についての前記識別情報と前記収納順情報とを管理する、紙葉類処理装置。
【００２０】
この紙葉類処理装置では、その他の紙葉類の検出と基準紙葉類の検出とを行うことにより、より確実に紙葉類収納部における特定紙葉類群とその他の紙葉類との境界を特定することができ、精査処理に要する時間の短縮をより確実に実現することができる。
【００２１】
［適用例７］適用例１または適用例２に記載の紙葉類処理装置であって、
前記情報管理部は、前記特定紙葉類群を構成する紙葉類の一部についての前記識別情報と前記紙葉類収納部への収納順を示す収納順情報とを管理することにより、前記特定枚数情報と前記基準紙葉類の前記識別情報とを管理し、
前記基準紙葉類は、前記特定紙葉類群を構成する紙葉類の内の前記識別情報および前記収納順情報が管理された紙葉類のいずれかである、紙葉類処理装置。
【００２２】
この紙葉類処理装置では、基準紙葉類は紙葉類収納部における特定紙葉類群とその他の紙葉類との境界を特定可能であり、特定紙葉類群を構成する紙葉類のいずれかを基準紙葉類として検出することにより、基準紙葉類が検出されたときの紙葉類の計数値と特定枚数情報とに基づく紙葉類収納部内の紙葉類の枚数の特定を実現することができ、精査処理に要する時間の短縮をより確実に実現することができる。さらに、この紙葉類処理装置では、特定枚数情報と基準紙葉類の識別情報との管理に要する処理時間、処理負荷を軽減することができる。
【００２３】
［適用例８］適用例１ないし適用例７のいずれかに記載の紙葉類処理装置であって、
前記精査処理部は、前記基準紙葉類が検出されたときの紙葉類の計数値と前記特定枚数情報とに基づき前記紙葉類収納部内の紙葉類の枚数を特定する第１のモードによる精査処理と、前記紙葉類収納部からすべての紙葉類を繰り出しつつ計数することにより前記紙葉類収納部内の紙葉類の枚数を特定する第２のモードによる精査処理と、を実行可能であり、
前記紙葉類処理装置は、さらに、
前記第１のモードと前記第２のモードとのいずれにより精査処理を実行するかを選択する精査方法選択部を備える、紙葉類処理装置。
【００２４】
この紙葉類処理装置では、状況に応じて、適切な精査方法を選択することができる。
【００２５】
［適用例９］適用例８に記載の紙葉類処理装置であって、
前記精査方法選択部は、前記紙葉類処理装置の稼働中の障害の有無と、稼働中に発生した障害の内容と、稼働中に前記紙葉類収納部から繰り出された紙葉類で枚数が不明な紙葉類があったか否かの結果と、前記紙葉類処理装置の操作履歴と、日時を表す日時情報と、の少なくとも１つに基づいて、前記選択を行う、紙葉類処理装置。
【００２６】
この紙葉類処理装置では、状況に応じて、適切な精査方法を自動的に選択することができる。
【００２７】
［適用例１０］適用例１ないし適用例９のいずれかに記載の紙葉類処理装置であって、
前記紙葉類は、紙幣と商品券と小切手と旅行小切手とのいずれか１つであり、
前記識別情報は、記番号とＩＤ番号とのいずれか１つである、紙葉類処理装置。
【００２８】
なお、本発明は、種々の態様で実現することが可能であり、例えば、紙葉類処理装置、紙葉類処理装置を有する取引処理装置、これらの装置における精査処理方法、等の態様で実現することができる。
【図面の簡単な説明】
【００２９】
【図１】本発明の第１実施例における取引処理装置としての自動取引装置１０の構成を概略的に示す説明図である。
【図２】ＡＴＭ１０の構成を機能的に示す説明図である。
【図３】第１実施例における紙幣処理装置１００の構成を概略的に示す説明図である。
【図４】第１実施例において記憶・管理される情報の一例を示す説明図である。
【図５】第１実施例における紙幣装填処理の流れを示すフローチャートである。
【図６】第１実施例における紙幣繰り出し処理の流れを示すフローチャートである。
【図７】第１実施例における紙幣収納処理の流れを示すフローチャートである。
【図８】第１実施例における精査処理の流れを示すフローチャートである。
【図９】第１実施例における精査方法の選択画面の一例を示す説明図である。
【図１０】簡易精査が実行された場合に表示される精査処理結果の一例を示す説明図である。
【図１１】精査方法判定処理の流れを示すフローチャートである。
【図１２】第２実施例において記憶・管理される情報の一例を示す説明図である。
【図１３】第２実施例における紙幣装填処理の流れを示すフローチャートである。
【図１４】第２実施例における紙幣繰り出し処理の流れを示すフローチャートである。
【図１５】第２実施例における紙幣収納処理の流れを示すフローチャートである。
【図１６】第２実施例における精査処理の流れを示すフローチャートである。
【図１７】第３実施例において記憶・管理される情報の一例を示す説明図である。
【発明を実施するための形態】
【００３０】
次に、本発明の実施の形態を実施例に基づいて以下の順序で説明する。
Ａ．第１実施例：
Ａ−１．装置構成：
Ａ−２．紙幣装填処理：
Ａ−３．紙幣繰り出し処理：
Ａ−４．紙幣収納処理：
Ａ−５．精査処理：
Ａ−６．精査方法判定処理：
Ｂ．第２実施例：
Ｃ．第３実施例：
Ｄ．変形例：
【００３１】
Ａ．第１実施例：
Ａ−１．装置構成：
図１は、本発明の第１実施例における取引処理装置としての自動取引装置（以下、「ＡＴＭ」とも呼ぶ）１０の構成を概略的に示す説明図である。ＡＴＭ１０は、例えば金融機関や小売店、公共施設等に設置され、顧客の操作に従い、金融機関等の提供する現金出納等のサービスを自動で提供する装置である。ＡＴＭ１０は、現金自動預け払い機とも呼ばれる。
【００３２】
ＡＴＭ１０は、顧客の取引カードや取引明細票を処理するカード・明細票処理装置２１０と、通帳を処理する通帳処理装置２２０と、硬貨を取り扱う硬貨処理装置２３０と、紙幣を取り扱う紙幣処理装置１００と、取引に必要な情報を表示すると共に顧客の操作を受け付けるユーザーインターフェースとしての顧客操作部２４０と、を備えている。
【００３３】
図２は、ＡＴＭ１０の構成を機能的に示す説明図である。ＡＴＭ１０は、上述したカード・明細票処理装置２１０、通帳処理装置２２０、硬貨処理装置２３０、紙幣処理装置１００、顧客操作部２４０の他に、係員の操作のための係員操作部２５０と、ＡＴＭ１０の各部を制御する本体制御部２６０と、を備えている。本体制御部２６０は、ＣＰＵとプログラムやデータ等を記憶するメモリとを有し、ＣＰＵが記憶されたプログラムを読み出して実行することにより、各種処理・取引の制御を実現する。また、本体制御部２６０は、図示しないインターフェースを介してホストコンピュータ３００に接続され、ホストコンピュータ３００との間で必要な情報のやりとりを行なう。
【００３４】
顧客操作部２４０は、タッチパネルを有し、タッチパネル上に必要な操作内容を表示して顧客の操作を案内する。例えば、顧客操作部２４０は、預け入れ、引き出し、振り込み等の取引種別の入力や、暗証番号、金額の入力等を案内する画面を表示し、顧客により入力された指示を本体制御部２６０に伝える。係員操作部２５０は、銀行の係員等の作業者がＡＴＭ１０を運用、保守するための操作部であり、紙幣の装填や精査などの指示を行なうための入力部や、装置状態、運用モード、装填や精査の処理結果、障害個所等を表示するための表示部を有する。
【００３５】
紙幣処理装置１００は、紙幣処理装置制御部１９０を含んでいる。紙幣処理装置制御部１９０は、ＣＰＵとプログラムやデータ等を記憶するメモリとを有し、本体制御部２６０による制御の下、紙幣の装填、入金（収納）、出金（繰り出し）、精査といった処理を行なう。なお、紙幣処理装置制御部１９０は、本体制御部２６０の制御の下、本発明における情報管理部、精査処理部および精査方法選択部として機能する。
【００３６】
図３は、第１実施例における紙幣処理装置１００の構成を概略的に示す説明図である。紙幣処理装置１００は、紙幣Ｓの入口および出口としての入出金口１１０と、搬送路（Ｌ１〜Ｌ１０）を有し搬送路上において紙幣Ｓを搬送する搬送機構１７０と、図示しない撮像部を有し搬送路上を搬送される紙幣Ｓの真偽・金種の識別、記番号の読み取り、計数といった処理を行う識別部１２０と、紙幣Ｓを一時的に保持する一時保留部１３０と、紙幣Ｓを金種別に収納する３つの金種別カセット１４０（１４０Ａ，１４０Ｂ，１４０Ｃ）と、識別部１２０による識別ができなかった紙幣Ｓ（リジェクト紙幣）を回収するリジェクトカセット１５０と、金種別カセット１４０に補充する紙幣Ｓや金種別カセット１４０から回収した紙幣Ｓを収納する補充回収カセット１６０と、を備えている。なお、図３では、紙幣処理装置制御部１９０（図２参照）の図示は省略している。
【００３７】
金種別カセット１４０は、紙幣Ｓを入出金可能な状態で搬送路と接続され、搬送路から紙幣Ｓを受け入れて収納すると共に、紙幣Ｓを繰り出して搬送路上に送り出す。本実施例では、金種別カセット１４０Ａが万円紙幣専用のカセットであり、金種別カセット１４０Ｂが五千円紙幣専用のカセットであり、金種別カセット１４０Ｃが千円紙幣専用のカセットである。金種別カセット１４０は、搬送路との接続位置から見て奥側から手前側に向けて順に紙幣Ｓを並べて収納し、手前側から奥側に向けて順に紙幣Ｓを１枚ずつ繰り出す。従って、金種別カセット１４０からの紙幣Ｓの繰り出しは、金種別カセット１４０への紙幣Ｓの収納順序と逆の順序で（金種別カセット１４０への収納順がより後である紙幣Ｓほど先に繰り出されるように）実行される。
【００３８】
リジェクトカセット１５０は、紙幣Ｓの入金のみが可能な状態で搬送路と接続され、搬送路からリジェクト紙幣を受け入れて収納する。補充回収カセット１６０は、セパレータ１６２によって、補充する紙幣Ｓや回収した紙幣Ｓを収容する補充回収部１６３と、紙幣装填処理（後述）の際に補充回収部１６３から繰り出された紙幣Ｓのうちで識別部１２０により異常と識別された紙幣Ｓ（補充リジェクト紙幣）を収容する補充リジェクト部１６４と、に分割されている。補充回収部１６３は、紙幣Ｓを入出金可能な状態で搬送路と接続され、紙幣Ｓを繰り出して搬送路上に送り出すと共に、搬送路から紙幣Ｓを受け入れて収納する。補充リジェクト部１６４は、紙幣Ｓの入金のみが可能な状態で搬送路と接続され、搬送路から補充リジェクト紙幣を受け入れて収納する。搬送機構１７０は、例えばローラーやベルト、搬送経路を切り替えるゲート等を用いて構成され、搬送路を形成する。図３には、搬送機構１７０の各搬送路における紙幣Ｓの搬送方向を矢印で示している。
【００３９】
紙幣処理装置１００の紙幣処理装置制御部１９０（図２）は、各金種別カセット１４０について、収納されている紙幣に関する所定の情報を記憶・管理する。図４は、第１実施例において記憶・管理される情報の一例を示す説明図である。図４（ａ）に示すように、本実施例では、紙幣処理装置制御部１９０によって、非移動量Ｘと、カセット内残量Ｙと、先頭移動紙幣記番号Ｚと、の３つの情報が記憶・管理される（以下、第１実施例において、この３つの情報を「管理情報」とも呼ぶ）。図４（ｂ）に示すように、カセット内残量Ｙは、金種別カセット１４０に現に収納されている紙幣Ｓの枚数である。また、非移動量Ｘは、ＡＴＭ１０の稼働開始前に金種別カセット１４０に収納され、かつ、稼働開始後にまだ１度も繰り出されていない紙幣Ｓ（以下、「非移動紙幣」とも呼ぶ）の枚数である。なお、カセット内残量Ｙと非移動量Ｘとの差分は、移動紙幣の枚数である。ここで、本実施例における移動紙幣は、ＡＴＭ１０の稼働開始前には金種別カセット１４０に収納されていなかった紙幣Ｓ（すなわち稼働中に金種別カセット１４０に収納された紙幣Ｓ）と、ＡＴＭ１０の稼働開始前に金種別カセット１４０に収納されてはいたが稼働中に金種別カセット１４０から繰り出されたことのある紙幣Ｓ（すなわち繰り出された後に再度金種別カセット１４０に収納された紙幣Ｓ）と、の総称である。非移動紙幣は、ＡＴＭ１０の稼働中に出入りがなかった紙幣Ｓであるとも表現することができ、移動紙幣は、ＡＴＭ１０の稼働中に出入りのあった紙幣Ｓであるとも表現することができる。なお、本実施例では、非移動紙幣の集合を非移動紙幣群と呼ぶ。第１実施例において、非移動紙幣群は本発明における特定紙葉類群に相当し、非移動紙幣の枚数を示す情報（非移動量Ｘ）は本発明における特定枚数情報に相当する。
【００４０】
また、管理情報の内、先頭移動紙幣記番号Ｚは、先頭移動紙幣の記番号である。ここで、先頭移動紙幣は、移動紙幣の内で金種別カセット１４０への収納順が最も先である紙幣Ｓである。すなわち、先頭移動紙幣は、金種別カセット１４０への収納順が、非移動紙幣の内の収納順が最後の紙幣Ｓ（以下、「最後尾非移動紙幣」とも呼ぶ）より１つ後である紙幣Ｓである。先頭移動紙幣は、金種別カセット１４０において、非移動紙幣群に隣接することとなる。この意味で、先頭移動紙幣は、金種別カセット１４０において、非移動紙幣群とその他の紙幣（移動紙幣）との境界を特定可能な紙幣Ｓと言える。また、記番号は、紙幣Ｓの表面に記された固有の識別番号であり、個々の紙幣Ｓを特定する識別情報として機能する。なお、第１実施例における先頭移動紙幣は、本発明における基準紙葉類に相当する。
【００４１】
管理情報（非移動量Ｘ、カセット内残量Ｙおよび先頭移動紙幣記番号Ｚ）は、金種別カセット１４０における紙幣Ｓの収納および繰り出しに伴い変化する。紙幣処理装置制御部１９０は、紙幣Ｓの収納および繰り出しに応じて管理情報の初期設定・更新といった記憶・管理を行う。
【００４２】
Ａ−２．紙幣装填処理：
図５は、第１実施例における紙幣装填処理の流れを示すフローチャートである。紙幣装填処理は、ＡＴＭ１０の稼働開始前に、補充回収カセット１６０に収納された補充用紙幣を、搬送路を介して金種別カセット１４０に搬送し、金種別カセット１４０内に装填（収納）する処理である。紙幣装填処理は、本体制御部２６０（図２）の制御の下、紙幣処理装置制御部１９０（および紙幣処理装置制御部１９０に制御される紙幣処理装置１００の各部）によって実行される。紙幣装填処理は、係員操作部２５０を介した紙幣装填処理の実行開始指示を受けて開始される。
【００４３】
紙幣装填処理が開始されると、補充回収カセット１６０から紙幣Ｓが１枚繰り出される（図５のステップＳ１１０）。繰り出された紙幣Ｓは、搬送路Ｌ１０、Ｌ６、Ｌ２（図３参照）を介して識別部１２０に搬送され、識別部１２０によって識別される。なお、このとき、識別部１２０による紙幣Ｓの記番号の読み取りは実行されない。識別部１２０による識別結果に従い、正常に識別された紙幣Ｓは搬送路Ｌ３、Ｌ８を介して金種毎に金種別カセット１４０に収納され、正常に識別されなかった紙幣Ｓは補充リジェクト部１６４に収納される（ステップＳ１２０）。紙幣Ｓが金種別カセット１４０に収納されると、紙幣処理装置制御部１９０が記憶・管理する当該金種別カセット１４０の装填枚数が１だけ加算される（ステップＳ１３０）。ステップＳ１１０〜Ｓ１３０の処理は、補充回収カセット１６０に装填されたすべての紙幣について繰り返し実行される（ステップＳ１４０）。
【００４４】
すべての紙幣についてステップＳ１１０〜Ｓ１３０の処理が完了すると（ステップＳ１４０：Ｙｅｓ）、紙幣処理装置制御部１９０が記憶・管理する各金種別カセット１４０についての非移動量Ｘ（図４参照）が、装填枚数の値に更新されると共に（ステップＳ１５０）、カセット内残量Ｙも装填枚数の値に更新される（ステップＳ１６０）。また、紙幣処理装置制御部１９０が記憶する各金種別カセット１４０についての先頭移動紙幣記番号Ｚがクリア（初期化）される（ステップＳ１７０）。以上で紙幣装填処理が完了する。紙幣装填処理が完了すると、紙幣装填処理の結果が紙幣処理装置制御部１９０から本体制御部２６０に通知され、係員操作部２５０に処理結果が表示される。紙幣装填処理の完了後、係員が係員操作部２５０を介して稼働開始を指示すると、ＡＴＭ１０の稼働が開始される。係員は、補充回収カセット１６０を抜き取り、補充リジェクト部１６４に収納された紙幣Ｓを回収する。
【００４５】
Ａ−３．紙幣繰り出し処理：
図６は、第１実施例における紙幣繰り出し処理の流れを示すフローチャートである。紙幣繰り出し処理は、ＡＴＭ１０の稼働開始後に、紙幣処理装置１００の金種別カセット１４０に収納されている紙幣Ｓを繰り出し、入出金口１１０を介して出金する処理である。紙幣繰り出し処理は、本体制御部２６０（図２）の制御の下、紙幣処理装置制御部１９０（および紙幣処理装置制御部１９０に制御される紙幣処理装置１００の各部）によって実行される。顧客により顧客操作部２４０を介して現金引き出し取引の実行が指示されると、カード・明細票処理装置２１０によるカードの受け付け、または、通帳処理装置２２０による通帳の受け付けが行われる。その後、顧客により顧客操作部２４０を介して暗証番号や引き出し金額が入力されると、本体制御部２６０によりホストコンピュータ３００への引き出し取引の実行可否の照会が行われる。ホストコンピュータ３００により取引可能との通知がなされると、紙幣繰り出し指示が本体制御部２６０から紙幣処理装置制御部１９０に通知され、紙幣繰り出し処理が開始される。
【００４６】
紙幣繰り出し処理が開始されると、指定された引き出し金額に応じて繰り出すべき紙幣の金種毎の枚数が設定され、当該設定に従い金種別カセット１４０から紙幣Ｓが１枚繰り出される（図６のステップＳ２１０）。繰り出された紙幣Ｓは、搬送路Ｌ９、Ｌ２（図３参照）を介して識別部１２０に搬送され、識別部１２０によって識別されると共に記番号の読み取りに供される（ステップＳ２２０）。識別部１２０による識別結果に従い、正常に識別された紙幣Ｓは搬送路Ｌ３、Ｌ６、Ｌ７を介して入出金口１１０に搬送され、正常に識別されなかった紙幣Ｓは搬送路Ｌ３、Ｌ８を介してリジェクトカセット１５０に搬送・収納される。
【００４７】
次に、直前のステップＳ２１０において紙幣Ｓの繰り出しが行われた金種別カセット１４０に関し、紙幣処理装置制御部１９０に記憶された非移動量Ｘとカセット内残量Ｙ（図４参照）との比較が行われる（ステップＳ２３０）。非移動量Ｘとカセット内残量Ｙとが等しい場合（ステップＳ２３０：Ｙｅｓ）、すなわち紙幣Ｓの繰り出し実行前の時点において金種別カセット１４０に非移動紙幣のみが収納されていた場合には、繰り出された紙幣Ｓは非移動紙幣であるため、カセット内残量Ｙと共に非移動量Ｘも１だけ減算されるよう更新される（ステップＳ２４０）。その後、繰り出すべき紙幣Ｓの繰り出しがすべて完了したか否かが判定され（ステップＳ２８０）、未だ完了していないと判定された場合には（ステップＳ２８０：Ｎｏ）、処理はステップＳ２１０に戻る。
【００４８】
一方、非移動量Ｘとカセット内残量Ｙとが等しくない場合（ステップＳ２３０：Ｎｏ）、すなわち紙幣Ｓの繰り出し前の時点において金種別カセット１４０に非移動紙幣の他に移動紙幣も収納されていた場合には、繰り出された紙幣Ｓは移動紙幣であるため、カセット内残量Ｙのみが１だけ減算されるよう更新される（ステップＳ２５０）。その後、紙幣処理装置制御部１９０に記憶された先頭移動紙幣記番号Ｚ（図４参照）と繰り出された紙幣Ｓの記番号との比較が行われ（ステップＳ２６０）、両者が等しい場合（ステップＳ２６０：Ｙｅｓ）、すなわち繰り出された紙幣Ｓが先頭移動紙幣であった場合には、紙幣Ｓの繰り出し後の時点では金種別カセット１４０に非移動紙幣のみが収納されていることとなるため、先頭移動紙幣記番号Ｚが０（初期値）に更新される（ステップＳ２７０）。その後、上述の完了判定（ステップＳ２８０）が実行される。一方、先頭移動紙幣記番号Ｚと繰り出された紙幣Ｓの記番号とが等しくない場合（ステップＳ２６０：Ｎｏ）、すなわち繰り出された紙幣Ｓが先頭移動紙幣以外の移動紙幣であった場合には、紙幣Ｓの繰り出し後も先頭移動紙幣は変更されないため、先頭移動紙幣記番号Ｚの更新処理（ステップＳ２７０）はスキップされ、上述の完了判定（ステップＳ２８０）が実行される。
【００４９】
紙幣の繰り出し完了判定（ステップＳ２８０）において、引き出し金額に応じて設定された繰り出すべき紙幣の繰り出しが完了したと判定されると（ステップＳ２８０：Ｙｅｓ）、紙幣繰り出し処理が完了する。なお、紙幣繰り出し処理が完了すると、出金結果が紙幣処理装置制御部１９０から本体制御部２６０に通知される。顧客により指示された引き出し金額分の紙幣Ｓが入出金口１１０に正常に放出されると、引き出し取引が完了する。
【００５０】
Ａ−４．紙幣収納処理：
図７は、第１実施例における紙幣収納処理の流れを示すフローチャートである。紙幣収納処理は、ＡＴＭ１０の稼働開始後に、入出金口１１０を介して入金された紙幣Ｓを金種別カセット１４０に収納する処理である。紙幣収納処理は、本体制御部２６０（図２）の制御の下、紙幣処理装置制御部１９０（および紙幣処理装置制御部１９０に制御される紙幣処理装置１００の各部）によって実行される。顧客により顧客操作部２４０を介して現金預け入れ取引の実行が指示されると、入金処理および紙幣収納処理が実行される。入金処理では、顧客により入出金口１１０に投入された紙幣Ｓが入出金口１１０から繰り出され、搬送路Ｌ２を介して識別部１２０に搬送され、識別部１２０により識別される。識別部１２０により正常に識別された紙幣Ｓは、搬送路Ｌ３、Ｌ４を介して一時保留部１３０に搬送・収納され、正常に識別されなかった紙幣Ｓは、搬送路Ｌ３、Ｌ６、Ｌ７を介して入出金口１１０に返却される。入金処理が完了すると、その結果が紙幣処理装置制御部１９０から本体制御部２６０に通知され、顧客操作部２４０に表示される。顧客により顧客操作部２４０に表示された入金金額が確認されると、本体制御部２６０から紙幣処理装置制御部１９０に収納指示が送られ、紙幣収納処理が開始される。
【００５１】
紙幣収納処理が開始されると、一時保留部１３０に収納されている紙幣Ｓが１枚繰り出され（ステップＳ３１０）、繰り出された紙幣Ｓが搬送路Ｌ５、Ｌ６、Ｌ２を介して識別部１２０に搬送され、識別部１２０によって紙幣Ｓの識別および記番号の読み取りが行われる（ステップＳ３２０）。その後、識別部１２０による識別結果に従い、紙幣Ｓが搬送路Ｌ３、Ｌ８を介して該当する金種の金種別カセット１４０に搬送・収納され（ステップＳ３３０）、該当する金種の金種別カセット１４０について、紙幣処理装置制御部１９０に記憶されたカセット内残量Ｙが１だけ加算されるよう更新される（ステップＳ３４０）。なお、識別部１２０により識別できなかった紙幣Ｓは、リジェクトカセット１５０に収納される。
【００５２】
次に、紙幣処理装置制御部１９０に記憶された先頭移動紙幣記番号Ｚは０であるか否かが判定される（ステップＳ３５０）。先頭移動紙幣記番号Ｚが０である場合には（ステップＳ３５０：Ｙｅｓ）、直前のステップＳ３３０における紙幣収納前には金種別カセット１４０には非移動紙幣のみが収納されており、今回収納された紙幣Ｓが先頭移動紙幣となるため、先頭移動紙幣記番号Ｚが、識別部１２０により読み取られた当該紙幣Ｓの記番号に更新される（ステップＳ３６０）。一方、先頭移動紙幣記番号Ｚが０ではない場合には（ステップＳ３５０：Ｎｏ）、直前のステップＳ３３０における紙幣収納前に金種別カセット１４０には非移動紙幣の他に移動紙幣が収納されており、今回の紙幣の収納によって先頭移動紙幣が変更されることはないため、先頭移動紙幣記番号Ｚの更新処理（ステップＳ３６０）はスキップされる。
【００５３】
その後、一時保留部１３０に収納されたすべての紙幣Ｓについて収納処理が完了したか否かが判定され（ステップＳ３７０）、完了していないと判定された場合には（ステップＳ３７０：Ｎｏ）、ステップＳ３１０からＳ３６０までの処理が再度実行される。すべての紙幣Ｓについて収納処理が完了したと判定された場合には（ステップＳ３７０：Ｙｅｓ）、紙幣収納処理が完了する。紙幣収納処理が完了すると、収納結果が紙幣処理装置制御部１９０から本体制御部２６０に通知され、現金預け入れ取引が完了する。
【００５４】
Ａ−５．精査処理：
図８は、第１実施例における精査処理の流れを示すフローチャートである。精査処理は、所定のタイミング（例えば、所定の稼働期間経過後）に、装置内の紙幣の残高を把握するために、金種別カセット１４０に収納されている紙幣Ｓを計数して枚数を特定する処理である。精査処理は、本体制御部２６０（図２）の制御の下、紙幣処理装置制御部１９０（および紙幣処理装置制御部１９０に制御される紙幣処理装置１００の各部）によって実行される。精査処理は、係員により空の補充回収カセット１６０が紙幣処理装置１００にセットされ、係員操作部２５０を介した精査処理の開始指示が行われると開始される。
【００５５】
精査処理が開始されると、精査方法（簡易精査または全数精査）の選択が行われる（ステップＳ４１０）。ここで、簡易精査は、移動紙幣については金種別カセット１４０から繰り出して計数することにより枚数を特定し、非移動紙幣については金種別カセット１４０から繰り出して計数することなく紙幣処理装置制御部１９０に記憶された非移動量Ｘを利用して枚数を特定することにより、各金種別カセット１４０に収納されている紙幣Ｓの枚数を特定する精査方法である。一方、全数精査は、移動紙幣か非移動紙幣かに関わらず、金種別カセット１４０に収納されているすべての紙幣Ｓを金種別カセット１４０から繰り出して計数することにより、各金種別カセット１４０に収納されている紙幣Ｓの枚数を特定する精査方法である。なお、簡易精査は、本発明における第１のモードによる精査に相当し、全数精査は、本発明における第２のモードによる精査に相当する。精査処理が開始されると、係員操作部２５０に図９に示す精査方法の選択画面が表示される。係員操作部２５０を介して係員により簡易精査と全数精査とのいずれか一方が選択されると、選択された精査方法が紙幣処理装置制御部１９０に指示される。
【００５６】
簡易精査が選択された場合には（ステップＳ４１０：Ｙｅｓ）、精査枚数が初期値（＝０）に設定された後、紙幣処理装置制御部１９０に記憶された先頭移動紙幣記番号Ｚが０であるか否かが判定される（ステップＳ４１２）。先頭移動紙幣記番号Ｚが０である場合には（ステップＳ４１２：Ｙｅｓ）、金種別カセット１４０には移動紙幣は無く、非移動紙幣のみが収納されていることとなるため、紙幣Ｓの繰り出しおよび計数は行われない。この場合には、この時点における精査枚数（＝０）に非移動量Ｘが加算されて、最終的な精査枚数が算出される（ステップＳ４６０）。
【００５７】
一方、先頭移動紙幣記番号Ｚが０ではない場合には（ステップＳ４１２：Ｎｏ）、金種別カセット１４０には非移動紙幣の他に移動紙幣も収納されていることとなる。この場合には、金種別カセット１４０から紙幣Ｓが１枚繰り出され（ステップＳ４２０）、識別部１２０によって当該紙幣Ｓの金種の識別と記番号の読み取りが行われ（ステップＳ４３０）、識別部１２０により正常に識別された場合には紙幣Ｓが補充回収カセット１６０に収納され、紙幣処理装置制御部１９０に記憶される該当金種の精査枚数が１だけ加算される（ステップＳ４４０）。なお、識別部１２０により正常に識別されなかった場合には、紙幣Ｓがリジェクトカセット１５０に収納される。
【００５８】
次に、識別部１２０で読み取られた紙幣Ｓの記番号が、紙幣処理装置制御部１９０に記憶された先頭移動紙幣記番号Ｚと等しいか否かの判定、すなわち、先頭移動紙幣の検出処理が行われる（ステップＳ４５０）。読み取られた紙幣Ｓの記番号が先頭移動紙幣記番号Ｚと等しくないと判定された場合には（ステップＳ４５０：Ｎｏ）、直前のステップＳ４２０で繰り出された紙幣Ｓは先頭移動紙幣ではなく、金種別カセット１４０にまだ移動紙幣が残っていることとなるため、ステップＳ４２０からＳ４４０までの処理が再度実行される。
【００５９】
繰り出された紙幣Ｓの記番号が先頭移動紙幣記番号Ｚと等しいと判定された場合には（ステップＳ４５０：Ｙｅｓ）、直前のステップＳ４２０で繰り出された紙幣Ｓが先頭移動紙幣であり、金種別カセット１４０にはもう移動紙幣は無く、非移動紙幣のみが残っていることとなるため、さらなる紙幣Ｓの繰り出しは行われない。この場合には、この時点での精査枚数に非移動量Ｘが加算されて、最終的な精査枚数が算出される（ステップＳ４６０）。
【００６０】
その後、補充回収カセット１６０から金種別カセット１４０への紙幣Ｓの戻し処理が行われる（ステップＳ４７０）。以上の処理が各金種別カセット１４０に対して順次実行され、すべての金種別カセット１４０に対する処理が完了すると、精査処理（簡易精査）が完了する。
【００６１】
一方、全数精査が選択された場合には（ステップＳ４１０：Ｎｏ）、金種別カセット１４０から紙幣Ｓが１枚繰り出され（ステップＳ４８０）、識別部１２０によって当該紙幣Ｓの金種の識別が行われ、識別部１２０により正常に識別された場合には紙幣Ｓが補充回収カセット１６０に収納され、紙幣処理装置制御部１９０に記憶される該当金種の精査枚数が１だけ加算される（ステップＳ４９０）。識別部１２０により正常に識別されなかった場合には、紙幣Ｓがリジェクトカセット１５０に収納される。なお、全数精査においては、紙幣Ｓの記番号の読み取りは行われない。
【００６２】
次に、金種別カセット１４０が空であるか否かが判定され（ステップＳ５００）、空でないと判定された場合には（ステップＳ５００：Ｎｏ）、ステップＳ４８０およびＳ４９０の処理が、金種別カセット１４０は空であると判定されるまで繰り返し実行される。ステップＳ４８０〜Ｓ５００の処理はすべての金種別カセット１４０に対して実行される。その後、ＡＴＭ１０が継続して稼働されるか否かが判定され（ステップＳ５１０）、継続して稼働される場合には（ステップＳ５１０：Ｙｅｓ）、補充回収カセット１６０から金種別カセット１４０への紙幣Ｓの戻し処理が行われ（ステップＳ５２０）、精査処理（全数精査）が完了する。ＡＴＭ１０が継続して稼働されない場合には（ステップＳ５１０：Ｎｏ）、紙幣Ｓの戻し処理（ステップＳ５２０）が行われることなく、精査処理（全数精査）が完了する。
【００６３】
精査処理が完了すると、精査処理結果が係員操作部５２に表示される。図１０は、簡易精査が実行された場合に表示される精査処理結果の一例を示す説明図である。図１０の例では、精査処理結果として、金種毎に、ＡＴＭ１０の現金保有量と精査枚数と両者の差分としてのリジェクトカセット枚数とが表示される。精査処理結果における現金保有量は、ＡＴＭ１０の本体制御部２６０により、装填結果、入金結果、出金結果に基づき管理されている現金保有量である。係員は、リジェクトカセット１５０に収納された紙幣の枚数を確認し、係員操作部５２に表示されたリジェクトカセット枚数と合致すれば、精査が正常に完了したと判断する。合致しなかった場合には、係員により全数精査の実行が選択され、金種別カセット１４０内のすべての紙幣Ｓを繰り出して計数する全数精査が実行される。なお、全数精査が実行された場合に表示される精査処理結果は、全数精査の選択ボタンが含まれないことを除いては、図１０に示す例と同様である。
【００６４】
なお、精査方法の選択は、係員により行われるのではなく、本体制御部２６０および紙幣処理装置制御部１９０による精査方法判定処理を介して自動的に行われるとしてもよい。図１１は、精査方法判定処理の流れを示すフローチャートである。精査方法判定処理では、稼働中の障害で係員が現金にアクセスしたか否かの判定（ステップＳ６１０）で「アクセスした」と判定された場合（ステップＳ６１０：Ｙｅｓ）、あるいはそれに続く稼働中に金種別カセット１４０が抜かれたか否かの判定（ステップＳ６２０）で「抜かれた」と判定された場合（ステップＳ６２０：Ｙｅｓ）、あるいはそれに続く全数精査を実施すると定められた日であるか否かの判定（ステップＳ６３０）で「定められた日である」と判定された場合（ステップＳ６３０：Ｙｅｓ）には、全数精査を実施すると判定される（ステップＳ６５０）。それ以外の場合には、簡易精査を実施すると判定される（ステップＳ６４０）。このようにすれば、適切な精査方法を自動的に選択することができる。
【００６５】
なお、図１１に示された判定項目以外の判定項目（例えばＡＴＭ１０が稼働時間中であるか否か）に基づき精査方法が選択されるとしてもよいし（例えばＡＴＭ１０が稼働中である場合には簡易精査が選択される）、図１１に示された判定項目のいずれかが省略されるとしてもよい。採用可能な判定項目としては、紙幣処理装置１００の稼働中の障害の有無、稼働中に発生した障害の内容、稼働中に紙幣処理装置１００から繰り出された紙幣Ｓで枚数が不明なものがあったか否か、紙幣処理装置１００の操作履歴、日時、が挙げられる。また、稼働中の障害は、例えば、紙幣処理装置１００における紙幣Ｓの詰まり（ジャム）や機構部品の動作不良、ＡＴＭ１０の紙幣処理装置１００以外の構成要素の障害が挙げられる。また、精査方法の選択は、紙幣処理装置１００のすべての金種別カセット１４０について共通して行われるとしてもよいし、金種別カセット１４０毎に独立して行われるとしてもよい。
【００６６】
以上説明したように、第１実施例の精査処理では、移動紙幣については金種別カセット１４０から繰り出して計数することにより枚数を特定すると共に、非移動紙幣については金種別カセット１４０から繰り出して計数することなく記憶された非移動量Ｘを利用して枚数を特定する簡易精査が選択可能である。簡易精査では、紙幣Ｓの繰り出し・計数が行われつつ記番号に基づく先頭移動紙幣の検出が行われ、先頭移動紙幣が検出されたときの精査枚数（計数値）と紙幣処理装置制御部１９０により管理された非移動紙幣の枚数（非移動量Ｘ）との合計が、最終的な精査枚数とされる。そのため、第１実施例における簡易精査処理では、実際に繰り出し・計数を行う紙幣Ｓの枚数を低減することが可能であり、精査処理に要する時間を短縮することができる。また、第１実施例における簡易精査処理では、実際に繰り出し・計数を行う紙幣Ｓの枚数を低減することが可能であるため、紙幣処理装置１００における障害の発生率を低減することができると共に、紙幣Ｓの損傷や汚れを抑制することができる。また、第１実施例における簡易精査処理では、金種別カセット１４０に収納されたすべての紙幣Ｓの記番号を管理する必要は無く、移動紙幣（稼働中に出入があった紙幣Ｓ）のうちの先頭移動紙幣の記番号のみを管理すればよく、稼働開始前や稼働中の紙幣Ｓの記番号の管理といった処理を簡潔化することができる。
【００６７】
なお、例えば、紙幣Ｓを受け取った顧客が紙幣Ｓの数量が間違っていると申告した場合や、顧客が投入した紙幣Ｓを計数して受け入れた後に金種別カセット１４０に収納する際に紙幣Ｓの数量に不一致が発生した場合のように、紙幣処理装置１００の稼働中に紙幣Ｓの数量が不明確となり精査処理が必要になる場合がある。第１実施例の紙幣処理装置１００では、このような場合であっても、精査処理を最短の時間で実行して再度稼働を開始することにより、紙幣処理装置１００の稼働率を向上させることができる。
【００６８】
Ｂ．第２実施例：
図１２は、第２実施例において記憶・管理される情報（管理情報）の一例を示す説明図である。図１２（ａ）に示すように、第２実施例においても、図４に示す第１実施例と同様に、紙幣処理装置制御部１９０によって、非移動量Ｘとカセット内残量Ｙとが記憶・管理される。非移動量Ｘおよびカセット内残量Ｙの意義は、第１実施例と同じである（図１２（ｂ）参照）。第２実施例では、先頭移動紙幣記番号Ｚが記憶・管理されず、代わりに対応関係テーブルＴが記憶・管理される点が、第１実施例とは異なっている。対応関係テーブルＴは、金種別カセット１４０に収納される各紙幣Ｓについて、金種別カセット１４０への収納順と、記番号と、非移動／移動区分（非移動紙幣であるか移動紙幣であるかの別、すなわち稼働中の出入りの有無を示す情報）と、を示すテーブルである。以下、第２実施例において、紙幣処理装置制御部１９０により記憶・管理される３つの情報（非移動量Ｘ、カセット内残量Ｙ、対応関係テーブルＴ）を「管理情報」と呼ぶ。図１２では、金種別カセット１４０に３００枚の紙幣Ｓが収納されており、収納順が１から２００までの２００枚の紙幣Ｓが非移動紙幣であり、収納順が２０１から３００までの１００枚の紙幣Ｓが移動紙幣である状態における管理情報の例を示している。
【００６９】
図１３は、第２実施例における紙幣装填処理の流れを示すフローチャートである。第２実施例における紙幣装填処理は、補充回収カセット１６０から繰り出された紙幣Ｓの金種別カセット１４０への収納（ステップＳ１２０）の前に、識別部１２０（図３）による記番号の読み取り（ステップＳ１１２）が行われる点が、図５に示した第１実施例の紙幣装填処理とは異なっている。ステップＳ１１２の処理により読み取られた記番号は、収納順と非移動／移動区分と共に、対応関係テーブルＴ（図１２）に記録される。なお、このとき、非移動／移動区分は、収納紙幣が非移動紙幣であることを示す状態とされる。
【００７０】
第２実施例における紙幣装填処理（図１３）のその他のステップの内容は、図５に示す第１実施例と同じである。紙幣装填処理の完了時には、対応関係テーブルＴ（図１２）は、金種別カセット１４０に収納されたすべての紙幣Ｓについて、収納順と非移動／移動区分と記番号とが記録された状態となる。なお、第２実施例では、紙幣処理装置制御部１９０により管理される情報（管理情報）に先頭移動紙幣記番号Ｚが含まれていないため、第２実施例における紙幣装填処理では、図５に示す第１実施例の紙幣装填処理のステップＳ１７０の処理は実行されない。
【００７１】
図１４は、第２実施例における紙幣繰り出し処理の流れを示すフローチャートである。第２実施例における紙幣繰り出し処理は、金種別カセット１４０から繰り出され（ステップＳ２１０）記番号の読み取り（ステップＳ２２０）が行われた紙幣Ｓについて、対応関係テーブルＴからの情報の削除（ステップＳ２２２）が行われる点が、図６に示した第１実施例の紙幣繰り出し処理とは異なっている。金種別カセット１４０からの紙幣Ｓの繰り出しは、金種別カセット１４０への紙幣Ｓの収納順序と逆の順序で実行されるため、ステップＳ２２２では、基本的に、対応関係テーブルＴに記録された紙幣Ｓの内の収納順が最も後である紙幣Ｓについての情報の削除が行われる。
【００７２】
第２実施例における紙幣繰り出し処理（図１４）のその他のステップの内容は、図６に示す第１実施例と同じである。なお、第２実施例では、紙幣処理装置制御部１９０により管理される情報（管理情報）に先頭移動紙幣記番号Ｚが含まれていないため、第２実施例における紙幣装填処理では、図６に示す第１実施例の紙幣装填処理のステップＳ２６０およびＳ２７０の処理は実行されない。
【００７３】
図１５は、第２実施例における紙幣収納処理の流れを示すフローチャートである。第２実施例における紙幣収納処理は、紙幣Ｓの繰り出し（ステップＳ３１０）、紙幣Ｓの記番号の読み取り（ステップＳ３２０）、金種別カセット１４０への紙幣Ｓの収納（ステップＳ３３０）の後に、読み取られた記番号と収納順と非移動／移動区分との対応関係テーブルＴ（図１２）への記録（ステップＳ３３２）が行われる点が、図７に示した第１実施例の紙幣収納処理とは異なっている。なお、このとき、非移動／移動区分は、収納紙幣が移動紙幣であることを示す状態とされる。また、収納順は、対応関係テーブルＴに記録された紙幣Ｓの内の収納順が最も後である紙幣Ｓの収納順の１つ後とされる。
【００７４】
第２実施例における紙幣収納処理（図１５）のその他のステップの内容は、図７に示す第１実施例と同じである。なお、第２実施例では、紙幣処理装置制御部１９０により管理される情報（管理情報）に先頭移動紙幣記番号Ｚが含まれていないため、第２実施例における紙幣収納処理では、図７に示す第１実施例の紙幣収納処理のステップＳ３５０およびＳ３６０の処理は実行されない。
【００７５】
図１６は、第２実施例における精査処理の流れを示すフローチャートである。第２実施例においても、第１実施例（図８）と同様に、簡易精査と全数精査との２つの精査方法が選択的に実行される。第２実施例における精査処理（簡易精査）では、先頭移動紙幣記番号Ｚに基づく判定（図８のステップＳ４１２）が実行されない点と、読み取られた記番号は非移動紙幣の記番号であるか否かの判定（ステップＳ４５２）が実行される点と、が、図８に示した第１実施例の精査処理（簡易精査）とは異なっている。読み取られた記番号が非移動紙幣の記番号であるか否かの判定は、対応関係テーブルＴ（図１２）を参照して実行可能である。
【００７６】
ステップＳ４５２の判定において、読み取られた記番号は非移動紙幣の記番号ではない（ステップＳ４５２：Ｎｏ）と判定された場合には、ステップＳ４２０からＳ４４０までの処理が再度実行される。読み取られた記番号は非移動紙幣の記番号であると判定された場合には（ステップＳ４５２：Ｙｅｓ）、直前のステップＳ４２０で繰り出された紙幣Ｓが最後尾非移動紙幣であり、金種別カセット１４０にはもう移動紙幣は無く、非移動紙幣のみが残っていることとなるため、さらなる紙幣Ｓの繰り出しは行われない。この場合には、この時点での精査枚数に非移動量Ｘが加算され、最後尾非移動紙幣の重複カウント分を補正するために１だけ減じられて、最終的な精査枚数が算出される（ステップＳ４６２）。第２実施例における精査処理のその他のステップの内容は、図８に示す第１実施例と同じである。
【００７７】
以上説明したように、第２実施例における精査処理（簡易精査）では、第１実施例と同様に、実際に繰り出し・計数を行う紙幣Ｓの枚数を低減することが可能であり、精査処理に要する時間を短縮することができると共に、紙幣処理装置１００における障害の発生率の低減や紙幣Ｓの損傷や汚れの抑制を実現することができる。また、第２実施例では、対応関係テーブルＴ（図１２）を介して、金種別カセット１４０に収納されたすべての紙幣Ｓについて、収納順と非移動／移動区分と記番号とが記憶・管理されるため、精査処理に要する時間の短縮をより確実に実現することができる。例えば、最後尾非移動紙幣の繰り出し時に、繰り出し不良や読み取りエラーなどで記番号の読み取り（図１６のステップＳ４３０）が適切に行われなかった場合には、ステップＳ４５２の判定において、記番号は非移動紙幣の記番号ではないと判定されることとなる。このような場合にも、その後のステップＳ４２０において繰り出された紙幣Ｓについての記番号の読み取りが適切に行われれば、ステップＳ４５２の判定において、記番号は非移動紙幣の記番号であると判定される。このとき、対応関係テーブルＴを参照すれば、記番号が非移動紙幣の記番号であると判定された紙幣Ｓの収納順が特定できるため、この時点での精査枚数と非移動量Ｘとに基づき、最終的な精査枚数の算出（ステップＳ４６２）が可能である。例えば、最後尾非移動紙幣の次に繰り出された紙幣Ｓについての判定（ステップＳ４５２）で、記番号は非移動紙幣の記番号であると判定された場合には、この時点での精査枚数に非移動量Ｘが加算され、２枚の非移動紙幣（最後尾非移動紙幣と今回繰り出された非移動紙幣）の重複カウント分を補正するために２だけ減じられて、最終的な精査枚数が算出される。このように、第２実施例における簡易精査処理では、ある非移動紙幣の記番号の読み取りエラーが発生した場合にも、他の非移動紙幣の記番号を読み取ることにより、実際に繰り出し・計数を行う紙幣Ｓの枚数を低減することができ、精査処理に要する時間を短縮することができる。
【００７８】
なお、第２実施例では、対応関係テーブルＴにより、金種別カセット１４０に収納されたすべての紙幣Ｓについて、収納順と非移動／移動区分と記番号とが記憶・管理されるため、すべての非移動紙幣が、金種別カセット１４０において非移動紙幣群とその他の紙幣（移動紙幣）との境界を特定可能な紙幣Ｓ（本発明における基準紙葉類）であると言える。すなわち、第２実施例における精査処理（簡易精査）では、いずれか１つの非移動紙幣を検出できれば、その時点で紙幣Ｓの繰り出し・計数を止め、最終的な精査枚数の算出を実行することができる。
【００７９】
Ｃ．第３実施例：
図１７は、第３実施例において記憶・管理される情報（管理情報）の一例を示す説明図である。図１７（ａ）に示すように、第３実施例においても、図１２に示す第２実施例と同様に、紙幣処理装置制御部１９０によって、非移動量Ｘとカセット内残量Ｙと対応関係テーブルＴａとが記憶・管理される。非移動量Ｘおよびカセット内残量Ｙの意義は、第２実施例と同じである（図１７（ｂ）参照）。第３実施例では、対応関係テーブルＴａに記録される情報が、第２実施例とは異なっている。第３実施例における対応関係テーブルＴａは、金種別カセット１４０への収納順が１００の自然数倍（１００，２００，３００，・・・）である紙幣Ｓについて、記番号を示すテーブルである。第３実施例における対応関係テーブルＴａには、その他の収納順の紙幣Ｓについての記番号は記録されない。
【００８０】
第３実施例の紙幣装填処理は、図１３に示した第２実施例の紙幣装填処理と同様に実行される。ただし、第３実施例の紙幣装填処理では、記番号の読み取りおよび対応関係テーブルＴａへの記録（図１３のステップＳ１１２）が、すべての紙幣Ｓについて実行されるのではなく、収納順が１００の自然数倍である紙幣Ｓについてのみ実行される。
【００８１】
第３実施例の紙幣繰り出し処理は、図１４に示した第２実施例の紙幣繰り出し処理と同様に実行される。ただし、第３実施例の紙幣繰り出し処理では、紙幣Ｓから読み取られた記番号が対応関係テーブルＴａに記録されている場合のみ、当該紙幣の情報の対応関係テーブルＴａからの削除（図１４のステップＳ２２２）が実行される。
【００８２】
第３実施例の紙幣収納処理は、図１５に示した第２実施例の紙幣収納処理と同様に実行される。ただし、第３実施例の紙幣収納処理では、収納する紙幣Ｓの記番号の読み取り（図１５のステップＳ３２０）および読み取られた記番号の対応関係テーブルＴａへの記録（ステップＳ３３２）は実行されない。
【００８３】
第３実施例の精査処理は、図１６に示した第２実施例の精査処理と同様に実行される。ただし、第３実施例では、対応関係テーブルＴａに収納順が１００の自然数倍である紙幣Ｓについての情報のみが記録されているため、繰り出された紙幣Ｓが非移動紙幣であっても、当該紙幣の情報が対応関係テーブルＴａに記録されていない場合には、ステップＳ４５２の判定において、読み取られた記番号は（対応関係テーブルＴａに記録された）非移動紙幣の記番号ではない（ステップＳ４５２：Ｎｏ）と判定される。例えば、図１７（ａ）に示す例では、収納順が６５０，６４９，６４８，・・・，６０１の紙幣Ｓは、非移動紙幣であるが、ステップＳ４５２の判定において、その記番号は（対応関係テーブルＴａに記録された）非移動紙幣の記番号ではないと判定される。その後に、収納順が６００の紙幣Ｓが繰り出されると、記番号の正常な読み取りを条件として、ステップＳ４５２の判定において記番号は非移動紙幣の記番号であると判定される。この場合には、この時点での精査枚数に非移動量Ｘが加算され、非移動紙幣の重複カウント分を補正するための枚数減算が行われ（図１７（ａ）の例では、収納順が６００〜６５０の非移動紙幣が重複カウントされているため、５１枚減算される）、最終的な精査枚数が算出される（ステップＳ４６２）。なお、仮に、収納順が６００の紙幣Ｓの繰り出し時に、繰り出し不良や読み取りエラーなどで記番号の読み取りが適切に行われなかった場合でも、その後に、対応関係テーブルＴａに記番号が記録された他の非移動紙幣についての記番号の読み取りが適切に行われれば、ステップＳ４５２の判定において記番号は非移動紙幣の記番号であると判定されるため、この時点での精査枚数と非移動量Ｘとに基づき、最終的な精査枚数の算出が可能である。
【００８４】
以上説明したように、第３実施例では、第２実施例と同様に、実際に繰り出し・計数を行う紙幣Ｓの枚数を低減することが可能であり、精査処理に要する時間を短縮することができると共に、紙幣処理装置１００における障害の発生率の低減や紙幣Ｓの損傷や汚れの抑制を実現することができる。また、第３実施例では、第２実施例と同様に、ある非移動紙幣の記番号の読み取りエラーが発生した場合にも、他の非移動紙幣の記番号を読み取ることにより、実際に繰り出し・計数を行う紙幣Ｓの枚数を低減することができ、精査処理に要する時間を短縮することができる。なお、第３実施例では、金種別カセット１４０に収納されたすべての紙幣Ｓではなく、一部のみの紙幣Ｓについて、対応関係テーブルＴａを用いた記番号の記憶・管理が行われるため、情報（記番号）の取得・記憶・管理に要する処理時間、処理負荷を軽減することができる。
【００８５】
Ｄ．変形例：
なお、この発明は上記の実施例や実施形態に限られるものではなく、その要旨を逸脱しない範囲において種々の態様において実施することが可能であり、例えば次のような変形も可能である。
【００８６】
Ｄ１．変形例１：
上記第１実施例では、紙幣処理装置制御部１９０により記憶・管理される記番号は、移動紙幣の内の先頭移動紙幣の記番号（先頭移動紙幣記番号Ｚ）のみであるとしているが（図４参照）、移動紙幣の内の収納順がより先である複数枚の紙幣Ｓについての記番号が記憶・管理されるとしてもよい。すなわち、移動紙幣の内、金種別カセット１４０への収納順が、非移動紙幣の内の収納順が最後の紙幣Ｓ（最後尾非移動紙幣）より１つ後からＮ（Ｎは１以上の整数）個後までのＮ枚の移動紙幣の記番号が記憶・管理されるとしてもよい。Ｎ枚の移動紙幣のそれぞれは、互いの収納順の関係に基づき、金種別カセット１４０における非移動紙幣群とその他の紙幣（移動紙幣）との境界を特定することができ、本発明における基準紙葉類として機能することができる。移動紙幣の内の複数枚の記番号を記憶・管理すれば、先頭移動紙幣の記番号が繰り出し不良や読み取りエラーなどで読み取りできず、先頭移動紙幣が検出できなかった場合にも、記番号が記憶・管理された他の移動紙幣を記番号に基づき検出することにより、金種別カセット１４０における非移動紙幣群と移動紙幣との境界を特定することができ、精査処理に要する時間の短縮をより確実に行うことができる。
【００８７】
また、紙幣処理装置制御部１９０により、非移動紙幣の内の収納順が最後である紙幣Ｓ（最後尾非移動紙幣）についての記番号が記憶・管理されるとしてもよい。あるいは、非移動紙幣の内の収納順が最後の複数枚の紙幣Ｓについての記番号が記憶・管理されるとしてもよい。これらの紙幣Ｓも、互いの収納順の関係に基づき、金種別カセット１４０における非移動紙幣群とその他の紙幣（移動紙幣）との境界を特定することができ、本発明における基準紙葉類として機能することができる。
【００８８】
Ｄ２．変形例２：
上記第２実施例では、紙幣処理装置制御部１９０により記憶・管理される情報（管理情報）は、非移動量Ｘとカセット内残量Ｙと対応関係テーブルＴとを含むとしているが（図１２参照）、管理情報は非移動量Ｘおよびカセット内残量Ｙとを含まないとしてもよい。このようにしても、対応関係テーブルＴによって、非移動量Ｘおよびカセット内残量Ｙと同等の情報を記憶・管理することができる。
【００８９】
また、対応関係テーブルＴに「非移動／移動区分」の項目が含まれないとしてもよい。このようにしても、非移動量Ｘを参照することにより、対応関係テーブルＴに記番号が記録された各紙幣Ｓが非移動紙幣であるか移動紙幣であるかを判別することが可能である。
【００９０】
また、対応関係テーブルＴへの紙幣Ｓの情報の登録は、稼働開始前の紙幣装填処理（図１３）においてのみ行われ、稼働中の紙幣収納処理（図１５）においては実行されないとしてもよい。すなわち、対応関係テーブルＴには、非移動紙幣の情報のみが記録され、移動紙幣の情報は記録されないとしてもよい。
【００９１】
また、上記第２実施例では、精査処理（簡易精査）（図１６）のステップＳ４５２において、読み取られた記番号は非移動紙幣の記番号であるか否かの判定が行われるとしているが、読み取られた記番号は先頭移動紙幣の記番号であるか否かの判定が行われるとしてもよい。このようにしても、金種別カセット１４０における非移動紙幣群を特定することができる。また、読み取られた記番号は先頭移動紙幣の記番号であるか否かの判定と、その後に繰り出された紙幣Ｓから読み取られた記番号は非移動紙幣の記番号であるか否かの判定と、が行われるとしてもよい。このようにすれば、金種別カセット１４０における非移動紙幣群の特定をより確実に特定することができる。なお、一般に、紙幣Ｓの繰り出しは、先に繰り出された紙幣Ｓの識別・記番号の読み取り完了の前に実行されるため、読み取られた記番号は先頭移動紙幣の記番号であると判定された場合に紙幣Ｓの繰り出しを止め、既に繰り出されている紙幣Ｓから読み取られた記番号は非移動紙幣の記番号であるか否かの判定を行うものとすればよい。
【００９２】
Ｄ３．変形例３：
上記第３実施例では、対応関係テーブルＴａにより、金種別カセット１４０への収納順が１００の自然数倍（１００，２００，３００，・・・）である紙幣Ｓについての記番号のみが記憶・管理されているが、金種別カセット１４０に収納された紙幣Ｓの一部のみについての記番号の記憶・管理が行われれば、記番号の記憶・管理の対象となる紙幣Ｓは任意に選択可能である。例えば、収納順が５０の自然数倍である紙幣Ｓについての記番号のみが記憶・管理されるとしてもよいし、収納順が３００の自然数倍である紙幣Ｓについての記番号のみが記憶・管理されるとしてもよい。なお、記番号の記憶・管理の対象となる紙幣Ｓの収納順は必ずしも一定間隔である必要はない。また、収納順が一定間隔である複数の紙幣Ｓが記番号の記憶・管理の対象として選択されると共に、選択された各紙幣Ｓの周辺の１枚または複数枚の紙幣Ｓも記番号の記憶・管理の対象とされるとしてもよい。
【００９３】
Ｄ４．変形例４：
上記各実施例におけるＡＴＭ１０や紙幣処理装置１００の構成は、あくまで一例であり、種々に変形可能である。また、上記各実施例では、紙幣Ｓを取り扱う紙幣処理装置１００を備えるＡＴＭ１０について説明したが、本発明は、紙幣処理装置１００およびＡＴＭ１０に限らず、例えば、両替機、紙幣入出金機、あるいは、紙幣Ｓ以外の紙葉類（例えば商品券、小切手、旅行小切手、チケット）を取り扱う紙葉類処理装置および紙葉類処理装置を備える取引処理装置にも適用可能である。
【００９４】
また、上記各実施例において、ハードウェアによって実現されていた構成の一部をソフトウェアに置き換えるようにしてもよく、逆に、ソフトウェアによって実現されていた構成の一部をハードウェアに置き換えるようにしてもよい。
【符号の説明】
【００９５】
１０…ＡＴＭ
５２…係員操作部
１００…紙幣処理装置
１１０…入出金口
１２０…識別部
１３０…一時保留部
１４０…金種別カセット
１５０…リジェクトカセット
１６０…補充回収カセット
１６２…セパレータ
１６３…補充回収部
１６４…補充リジェクト部
１７０…搬送機構
１９０…紙幣処理装置制御部
２１０…明細票処理装置
２２０…通帳処理装置
２３０…硬貨処理装置
２４０…顧客操作部
２５０…係員操作部
２６０…本体制御部
３００…ホストコンピュータ
【図１】
2010282535.tif 000003
【図２】
2010282535.tif 000004
【図３】
2010282535.tif 000005
【図４】
2010282535.tif 000006
【図５】
2010282535.tif 000007
【図６】
2010282535.tif 000008
【図７】
2010282535.tif 000009
【図８】
2010282535.tif 000010
【図９】
2010282535.tif 000011
【図１０】
2010282535.tif 000012
【図１１】
2010282535.tif 000013
【図１２】
2010282535.tif 000014
【図１３】
2010282535.tif 000015
【図１４】
2010282535.tif 000016
【図１５】
2010282535.tif 000017
【図１６】
2010282535.tif 000018
【図１７】
2010282535.tif 000019